(57)【要約】  【課題】  記録又は再生動作中におけるメカユニットの制振効果を良好に維持しつつ、非動作中に加わる外力によるメカユニットの大変位を防止し、周辺部への衝突等の不具合の発生を未然に防止し得るようにする。  【解決手段】  機械的な動作機構が搭載されたメカユニット２を、弾性を有する制振部材３を介して外函１の内部にフローティング支持してある構成において、第１，第２のロックレバー５，６と、これらとの係合が可能にメカユニット２の外側面20に突設された係合ピン４，４とにより、メカユニット２を制振部材３の作用下での移動不可に外函１内にロックするロック手段を構成し、また外函１の底板10を内外に貫通して支持され、載置面への載置に応じた外側端部の押圧により内側に突出して第１，第２のロックレバー５，６を揺動させるロック解除ボタン７，８により、記録又は再生動作中にメカユニット２のロック状態を解除するロック解除手段を構成する。【選択図】        図１
2006024328.tif 000002
【特許請求の範囲】
【請求項１】
機械的な動作機構が搭載されたメカユニットを弾性を有する制振部材を介して外函の内部にフローティング支持してある情報機器において、
前記メカユニットを、前記制振部材の作用下での移動不可に前記外函内にロックするロック手段と、
適宜の載置面への前記外函の載置に応じて前記ロック手段に作用し、前記メカユニットのロックを解除するロック解除手段と
を備えることを特徴とする情報機器。
【請求項２】
前記ロック手段は、前記外函の内部での前記メカユニットの全方向の移動を拘束する構成としてある請求項１記載の情報機器。
【請求項３】
前記ロック手段は、前記外函の内部に揺動自在に枢支されたロックレバーと、該ロックレバーを一方向に付勢する付勢ばねと、前記メカユニットの一部に突設され、前記付勢ばねのばね力により揺動する前記ロックレバーの一部と係合する係合ピンとを備える請求項１又は請求項２記載の情報機器。
【請求項４】
前記ロック解除手段は、前記外函の一面を内外に貫通し、内側端部を前記ロックレバーの一部に当接させて支持してあり、前記載置面への載置に応じた外側端部の押圧により前記ロックレバーを前記付勢ばねのばね力に抗して揺動させるロック解除ボタンを備える請求項３記載の情報機器。
【請求項５】
前記ロック解除手段は、前記外函の前記載置面への載置を検出する検出手段と、該検出手段の検出に応じて駆動され、前記ロック手段に作用するアクチュエータとを備える請求項１乃至請求項４のいずれか１つに記載の情報機器。
【発明の詳細な説明】
【技術分野】
【０００１】
本発明は、記録担体に各種の情報を記録し、また記録担体に記録された情報を再生する情報機器に関する。
【背景技術】
【０００２】
光ディスク、磁気ディスク等を記録担体として使用する情報機器は、前記記録担体を回転駆動せしめる駆動機構、該記録担体の記録面に沿って記録又は再生用のヘッドを移動せしめる移動機構等、高い精度下での機械的な動作を行う種々の動作機構を備えており、これらの動作機構は、外部から伝播する振動の影響により誤動作する虞れがあることから、この種の情報機器においては、安定した記録及び再生動作を行わせるために前記動作機構の制振対策が重要な課題となっている。
【０００３】
このような事情により従来から、記録担体の駆動機構、ヘッドの移動機構等、高い動作精度が要求される動作機構を専用のフレームに搭載されたメカユニットとして構成し、このメカユニットを、情報機器の外装を構成する外函の内部に、ばね及びダンパとしての作用をなす弾性材料製の制振部材を介してフローティング支持し、この制振部材により使用環境下において外函に加わる振動を吸収し、メカユニットへの伝播を抑制して、前述した動作機構の正常な動作を保証するように構成された情報機器が提案されている（例えば、特許文献１参照）。
【特許文献１】特開２００３−２７２３７１号公報
【発明の開示】
【発明が解決しようとする課題】
【０００４】
さて、以上の如きフローティング支持により良好な制振効果を得るためには、特許文献１中にも開示されているように、制振部材のばね定数をメカユニットを含めた振動系の固有振動数に応じて適正に設定する必要がある一方、近年においては、情報機器の軽量化が進行しており、この軽量化に伴ってメカユニットを支持する制振部材のばね定数の適正値は小さくなる傾向にある。
【０００５】
ところが、このようにばね定数が小さい制振部材によるフローティング支持構造を採用した場合、例えば、使用者による設置場所の変更時等において、不用意な取り扱いにより大なる外力が加えられたとき、制振部材の変形を伴ってメカユニットが大きく変位し、外函の内面等の周辺部に衝突して、メカユニットに搭載された動作機構にダメージを及ぼす等の不具合を生じる虞れがあった。
【０００６】
この衝突は、制振部材のばね定数を大きくすることにより防ぎ得るが、このようにした場合、前述の如く、記録又は再生動作中におけるメカユニットの制振効果が低下し、所期の目的を果たし得なくなるという問題がある。
【０００７】
本発明は斯かる事情に鑑みてなされたものであり、記録又は再生動作中におけるメカユニットの制振効果を良好に維持しながら、非動作中に加わる外力によるメカユニットの変位を防止し、周辺部への衝突による不具合の発生を未然に防止し得る情報機器を提供することを目的とする。
【課題を解決するための手段】
【０００８】
本発明に係る情報機器は、機械的な動作機構が搭載されたメカユニットを弾性を有する制振部材を介して外函の内部にフローティング支持してある情報機器において、前記メカユニットを、前記制振部材の作用下での移動不可に前記外函内にロックするロック手段と、適宜の載置面への前記外函の載置に応じて前記ロック手段に作用し、前記メカユニットのロックを解除するロック解除手段とを備えることを特徴とする。
【０００９】
本発明においては、制振部材の作用下での移動を不可にメカユニットをロックするロック手段を備え、適宜の載置面上に外函を載置して行われる記録又は再生動作中以外には、ロック手段のロック作用によりメカユニットの移動を拘束し、メカユニットの大変位を防止して周辺部への衝突による不具合の発生を未然に防止する一方、記録又は再生動作中には、載置面への載置に応じてロック解除手段がロック手段に作用し、このロック手段によるメカユニットのロックを解除して、制振部材によるメカユニットの制振効果を良好に維持する。
【００１０】
また本発明に係る情報機器は、前記ロック手段が、前記外函の内部での前記メカユニットの全方向の移動を拘束する構成としてあることを特徴とする。
【００１１】
この発明においては、メカユニットの全方向の移動を拘束可能にロック手段を構成し、ロック状態にある間のメカユニットの大変位を確実に防止する。
【００１２】
また本発明に係る情報機器は、前記ロック手段が、前記外函の内部に揺動自在に枢支されたロックレバーと、該ロックレバーを一方向に付勢する付勢ばねと、前記メカユニットの一部に突設され、前記付勢ばねのばね力により揺動する前記ロックレバーの一部と係合する係合ピンとを備えることを特徴とする。
【００１３】
この発明においては、一軸回りに揺動するロックレバーを付勢ばねにより付勢し、メカユニットに突設された係合ピンに係合させる簡素な構成により、メカユニットのロック手段を構成する。
【００１４】
また本発明に係る情報機器は、前記ロック解除手段が、前記外函の一面を内外に貫通し、内側端部を前記ロックレバーの一部に当接させて支持してあり、前記載置面への載置に応じた外側端部の押圧により前記ロックレバーを前記付勢ばねのばね力に抗して揺動させるロック解除ボタンを備えることを特徴とする。
【００１５】
この発明においては、適宜の載置面に載置して行われる記録又は再生動作中には、ロック解除ボタンの外側端部が載置面との当接により押圧され、ロックレバーに作用して付勢ばねのばね力に抗して揺動させてロック状態を機械的に解除する。
【００１６】
更に本発明に係る情報機器は、前記ロック解除手段が、前記外函の前記載置面への載置を検出する検出手段と、該検出手段の検出に応じて駆動され、前記ロック手段に作用するアクチュエータとを備えることを特徴とする。
【００１７】
本発明においては、適宜の載置面に載置して行われる記録又は再生動作中には、載置面への載置を検出手段により検出し、この検出に応じて動作するアクチュエータをロック手段に作用させて、該ロック手段によるメカユニットのロック状態を解除する。検出手段としては、載置面との当接によりオンするスイッチ等を採用することができ、この検出に応じて動作するアクチュエータとしては、例えば、モータ、電磁アクチュエータ等を用いることができる。
【発明の効果】
【００１８】
本発明に係る情報機器においては、外函内にメカユニットをロックするロック手段と、載置面への載置に応じてロックを解除するロック解除手段とを備えたから、載置面上に載置して行われる記録又は再生動作中におけるメカユニットの制振効果を良好に維持しながら、非動作中に加わる外力によるメカユニットの大変位を防止して、これに伴う不具合の発生を未然に防止することができる。
【００１９】
また、ロック手段を全方向のメカユニットの移動を拘束可能に構成したから、非動作中におけるメカユニットの大変位に伴う不具合の発生を、より有効に防止することが可能となる。
【００２０】
また、ロックレバー及び付勢ばねとロックレバーに係合する係合ピンとによりロック手段を構成し、更に、載置面との接触によりロックレバーに作用するロック解除ボタンによりロック解除手段を構成したから、機械的に簡素な構成にて前述した効果を得ることができる。
【００２１】
更に、載置面への載置を検出する検出手段と、この検出に応じてロック手段に作用するアクチュエータとによりロック解除手段を構成したから、検出手段の数及び配置をロック手段及びアクチュエータからの制約を受けずに自在に設定することができ、高い設計の自由度の下にて前述した効果を得ることができる等、本発明は優れた効果を奏する。
【発明を実施するための最良の形態】
【００２２】
以下本発明をその実施の形態を示す図面に基づいて詳述する。図１は、本発明に係る情報機器の要部の構成を示す斜視図である。図示の如く本発明に係る情報機器は、中空の外函１（底板10及び側板11の一部のみを図示）と、該外函１の内部に支持されたメカユニット２とを備えている。
【００２３】
メカユニット２は、光ディスク、磁気ディスク等の記録担体を回転駆動する駆動機構、前記記録担体の記録面に沿って記録又は再生用のヘッドを移動させるヘッド移動機構等、機械的な動作をなす動作機構（図示せず）が搭載された矩形箱形のユニットであり、図中に模式的に示す如く、ばね及びダンパとしての作用をなす制振部材３により外函１の内部にフローティング支持されている。
【００２４】
制振部材３は、メカユニット２を含めた振動系の固有振動数に応じて適正に設定されたばね定数を有しており、例えば、ゴム材料、エラストマ材料等の弾性に富む材料からなる棒体、柱体又は板体として構成することができ、情報機器の記録又は再生動作中に、外函１に種々の方向から加わる振動を吸収してメカユニット２への伝播を抑制し、該メカユニット２に搭載された動作機構への影響を排除する作用をなす。なお図１には、メカユニット２の底面と、これに対向する外函１の底板10の内面との間に介装された１つの制振部材３のみが図示されているが、メカユニット２の底面、天面及び４方の周面と、夫々に対向する外函１の内面との間に、各１つ又は複数の制振部材３を介装することが可能である。
【００２５】
また本発明に係る情報機器は、以上の如く支持されたメカユニット２を、外函１の内部において制振部材３の作用下での移動不可にロックするロック手段と、該ロック手段によるロック状態を解除するロック解除手段とを備えている。
【００２６】
ロック手段は、図１に示す如くメカユニット２の外側面20に突設された係合突起４，４と、これらの係合突起４，４の夫々に係脱可能な第１，第２のロックレバー５，６とを備えてなる。第１のロックレバー５は、適幅の帯板の中途部を厚さ方向に略直角に屈曲せしめてＬ字形に成形されたレバーであり、外函１の底板10に立設された支持ブラケット12に中途の屈曲部を、支持ピン13を枢軸として揺動自在に支持して取付けられている。
【００２７】
このように取付けられた第１のロックレバー５の一辺（横辺）は、外函１の底板10に沿って延びており、この横辺の先端近傍には、前記底板10の該当位置に後述の如く取付けられたロック解除ボタン（ロック解除手段）７に当接させてある。また第１のロックレバー５の他辺（縦辺）は、外函１の底板10から上向きに立ち上がり、係合突起４が突設されたメカユニット２の外側面20に沿って、この外側面20と一面を略平行として延びている。
【００２８】
この縦辺の先端部には、支持ピン13を枢軸として前記外側面20と略直交する面上にて生じる揺動軌跡上において、前記係合突起４と先端側から係合可能な高さ位置に、円形断面を有する係合孔50が貫通形成されており、また縦辺の中途部は、外函１の側板11との間に介装された押しばね51により前記外側面20に向けて押圧付勢されている。
【００２９】
第２のロックレバー６も同様に、適幅の帯板の中途部を厚さ方向に略直角に屈曲せしめてＬ字形に成形されたレバーであり、外函１の底板10に立設された支持ブラケット14に中途の屈曲部を、支持ピン15を枢軸として揺動自在に支持して取付けられている。
【００３０】
このように取付けられた第２のロックレバー６の一辺（横辺）は、外函１の底板10に沿って、第１のロックレバー５の横辺と直交する方向に延びており、この横辺の先端近傍には、底板10の該当位置に後述の如く取付けられたロック解除ボタン（ロック解除手段）８に当接させてある。また第２のロックレバー６の他辺（縦辺）は、外函１の底板10から上向きに立ち上がり、係合突起４が突設されたメカユニット２の外側面20に沿って、この外側面20と一面を略直交させて延びている。
【００３１】
この縦辺の先端部には、支持ピン15を枢軸として前記外側面20に沿って生じる揺動軌跡上において、係合突起４と一側から係合可能な高さ位置に係合片60が固設され、この係合片60には、係合突起４との対面側が開放された切欠き61が形成されており、また縦辺の中途部は、外函１の側板11との間に張架された引きばね62により、切欠き61の開放側を係合突起４に近付ける向きに引張り付勢されている。
【００３２】
図２は、第１のロックレバー及びロック解除手段の動作説明図である。本図は、支持ピン13を枢軸として生じる第１のロックレバー５の揺動面を正面視するものであり、丸棒状をなすロック解除ボタン７は、外函１の底板10を内外に貫通する保持孔16に挿通され、該保持孔16に沿って軸長方向への摺動自在に保持されている。底板10の内側へのロック解除ボタン７の突出端には、他部よりも大径とされたストッパ縁70が周設され、保持孔16の内縁との当接により外側への抜け出しを防ぐように構成されている。また底板10の外側へのロック解除ボタン７の突出端は、図示の如く半球状に成形されている。
【００３３】
以上の構成により第１のロックレバー５は、縦辺の中途に弾接する押しばね51のばね力の作用により、支持ピン13を枢軸として図２における半時計回りに揺動し、また、横辺の先端部に当接するロック解除ボタン７からの作用力により、支持ピン13を枢軸として図２における時計回りに揺動することができる。
【００３４】
ロック解除ボタン７からの作用力が加わっていない場合、第１のロックレバー５は、押しばね51のばね力の作用により半時計回りに揺動して図２（ａ）に示す状態となり、第１のロックレバー５の縦辺がメカユニット２の外側面20に近づき、前者に形成された係合孔50が後者に突設された係合突起４に係合し、この係合によりメカユニット２は、第１のロックレバー５を介して外函１に連結され、係合突起４の軸長方向以外の移動が不可に拘束される。
【００３５】
なお係合突起４は、先端部に向けてテーパ状に縮径する縮径部40を備えており、前記係合孔50の係合は、図２（ａ）に示す如く、縮径部40の先端から生じ、該縮径部40の中途に突き当てられて生じるようになしてある。この構成により、第１のロックレバー５と係合突起４との間に位置ずれが生じている状態においても確実な係合を実現することができ、また係合完了後のガタ付きを排除し、両者の相対移動、即ち、外函１に対するメカユニット２の相対移動を確実に拘束することができる。
【００３６】
一方このとき、第１のロックレバー５の横辺は、支持ピン13の回りに外函１の底板10に近づくように揺動し、この横辺の先端部が、外函１の内側へのロック解除ボタン７の突出端を押圧する結果、該ロック解除ボタン７は、前記ストッパ縁70が保持孔16の内縁に当接する位置にまで移動し、底板10の外側への突出長が最大となる。
【００３７】
底板10の外面には、外函１を載置面上に支えるための支持脚17が突設してあり、前述の如く突出するロック解除ボタン７の最大突出長は、前記支持脚17の高さよりも大となるように設定してある。従って、このような外函１が底板10を下向きとして支持脚17を介して載置面Ｆに載置された場合、図２（ｂ）に示す如く、ロック解除ボタン７の外側への突出端が載置面Ｆに押し付けられ、該ロック解除ボタン７は、保持孔16によりガイドされて軸長方向に摺動し、前記支持脚17の高さに一致するまで底板10の内側に押し込まれる。
【００３８】
この押し込みによりロック解除ボタン７の内側端に当接する第１のロックレバー５の横辺に、図中に白抜矢符にて示す如く上向きの力が作用し、第１のロックレバー５は、縦辺に加わる押しばね51のばね力に抗して時計回りに揺動し、この縦辺がメカユニット２の外側面20から離れ、係合突起４と係合孔50との係合が解除され、この係合によるメカユニット２のロックが解除される。
【００３９】
図３は、第２のロックレバー及びロック解除手段の動作説明図である。本図は、支持ピン15を枢軸として生じる第２のロックレバー６の揺動面を正面視するものであり、ロック解除ボタン８は、第１のロックレバー５用のロック解除ボタン７と同様、底板10を内外に貫通する保持孔16に、軸長方向への摺動自在に挿通保持された丸棒であり、底板10の内側への突出端に周設されたストッパ縁80により外側への抜け出しを防ぐように構成され、また底板10の外側に半球状に成形された突出端を有している。
【００４０】
以上の構成により第２のロックレバー６は、縦辺の中途に弾接する引きばね62のばね力の作用により、支持ピン15を枢軸として図３における半時計回りに揺動し、また、横辺の先端部に当接するロック解除ボタン８からの作用力により、支持ピン15を枢軸として図３における時計回りに揺動することができる。
【００４１】
ロック解除ボタン８からの作用力が加わっていない場合、第２のロックレバー６は、引きばね62のばね力の作用により半時計回りに揺動し、図３（ａ）に示す如く、第２のロックレバー６の縦辺が外函１の底板10に対して略垂直をなして立ち上がり、この縦辺の先端の係合片60に形成された切欠き61が係合突起４の一側から係合し、この係合によりメカユニット２は、第２のロックレバー６を介して外函１に連結される。
【００４２】
係合突起４の中途部には、係合片60の厚さに対応する凹溝41が設けてあり、前記切欠き61の係合は、図３（ａ）及び図１に示す如く、凹溝41に係合片60が入り込む状態で生じるようになしてある。この構成により第２のロックレバー６の係合が生じた場合、メカユニット２は、係合突起４の軸長方向の移動を含めて、切欠き61の開放側から係合突起４が抜け出す向き以外の移動が不可に拘束される。
【００４３】
なお、第２のロックレバー６と係合する係合突起４の先端部にも、第１のロックレバー５と係合する係合突起４と同様の縮径部40が設けてあり、また、第１のロックレバー５と係合する係合突起４の中途部にも、第２のロックレバー６と係合する係合突起４と同様の凹溝41が設けてあり、これらはいずれも機能的には不要の部分であるが、２つの係合突起４，４を同一部品として部品品種の削減を図るために設けてある。
【００４４】
一方このとき、第２のロックレバー６の横辺は、支持ピン15の回りに外函１の底板10に近づくように揺動し、この横辺の先端部が、外函１の内側へのロック解除ボタン８の突出端を押圧する結果、該ロック解除ボタン８は、前記ストッパ縁80が保持孔16の内縁に当接する位置にまで移動し、底板10の外側への突出長が最大となる位置に拘束される。
【００４５】
ロック解除ボタン８の最大突出長は、ロック解除ボタン７と同様、底板10の外面の支持脚17の高さよりも大としてあり、外函１が底板10を下向きとして載置面Ｆに載置されたときロック解除ボタン８は、図３（ｂ）に示す如く、載置面Ｆへの押し付けにより支持脚17の高さに一致するまで底板10の内側に押し込まれる。
【００４６】
この押し込みによりロック解除ボタン８の内側端に当接する第２のロックレバー６の横辺に、図中に白抜矢符にて示す如く上向きの力が作用し、第２のロックレバー６は、縦辺に加わる引きばね62のばね力に抗して時計回りに揺動し、この縦辺の先端の係合片60が係合突起４から離れ、該係合突起４との係合が解除され、この係合によるメカユニット２のロックが解除される。
【００４７】
以上の如く本発明に係る情報機器においては、外函１の外部に突出するロック解除ボタン７，８に外力が加えられていない場合、第１，第２のロックレバー５，６が各別の係合突起４，４と係合し、これらの係合によりメカユニット２は、ばね及びダンパの機能を果たす制振部材３の作用下での移動不可にロックされる。このとき、第１，第２のロックレバー５，６は、夫々の係合突起４，４に対して異なる向きから係合するから、メカユニット２は、全方向への移動不可に拘束される。
【００４８】
なお同様の拘束は、メカユニット２の異なる側面から突設された係合突起４，４と、これらの先端側から係合する第１のロックレバー５，５とを備える構成、またメカユニット２の一側面から突設された係合突起４，４これらに夫々異なる側から係合する第２のロックレバー６，６とを備える構成等、適宜の構成により実現することができ、これらの構成もまた本発明に含まれることは言うまでもない。
【００４９】
一方、このようなロック状態は、外函１を載置面Ｆから持ち上げることにより、該載置面Ｆへのロック解除ボタン７，８の押し付けが解除されて自動的に実現されるから、例えば、使用者が設置場所を変更する際に不用意な取り扱いにより大なる外力が加えた場合であっても、外函１内にてメカユニット２の大変位が生じ、周辺部に衝突する虞れが排除され、メカユニット２に搭載された機械的な動作機構がダメージを被る虞れを未然に回避することができる。
【００５０】
一方、底板10を下として適宜の載置面Ｆ上に外函１が載置された場合、前記載置面Ｆとの当接によりロック解除ボタン７，８が前述した如くに押し込まれ、この押し込みに応じた第１，第２のロックレバー５，６の揺動により、前述の如くメカユニット２のロック状態が解除される。従って、この状態にて行われる情報機器の記録又は再生動作中には、メカユニット２は、ばね及びダンパとしての機能を果たす制振部材３による支持下に外函１に対する相対変位が可能であり、例えば、載置面Ｆから外函１に加わる振動がメカユニット２に伝播されることがなく、該メカユニット２に搭載された機械的な動作機構への振動の影響を排除し、正常な動作を安定して行わせることができる。
【００５１】
このようなロック及びロック解除は、載置面Ｆへの載置及び非載置に応じて実現されるから、記録又は再生動作時におけるメカユニット２の安定動作と、非使用時における大外力の作用によるメカユニット２の損傷防止とを、何らの付加的な操作を強いることなく合わせて達成するとができる。
【００５２】
図４及び図５は、本発明に係る情報機器の他の実施の形態を示す要部の斜視図である。図４に示す実施の形態においては、底板10に保持されたロック解除ボタン７，８と共に、底板10と平行をなす面内に軸長方向への揺動自在に支持されたロック解除ボタン7a，8aを備えており、ロック解除ボタン7aは、一端の押圧片71を介して第１のロックレバー５の縦辺の中途部に、押しばね51と逆側から当接させてある。またロック解除ボタン8aは、テーパ状の端縁を備える押圧片81を一端に備えており、この押圧片81の端縁を第２のロックレバー６の縦辺の中途部に、図示の如く、引きばね62による引っ張り側において当接させてある。他の部分の構成は、図１に示す実施の形態と同様であり、対応する構成部材に図１と同一の参照符号を付して説明を省略する。
【００５３】
ロック解除ボタン7a，8aの他端は、図に示す外函１の側板11と対向する位置にある他の側板（図示せず）を経て外部に突出させてあり、この突出側を下として外函１が縦置きされた場合に、ロック解除ボタン7aの押し込みにより第１のロックレバー５が、またロック解除ボタン8aの押し込みにより第２のロックレバー６が夫々揺動し、図示の如く実現されている係合突起４，４との係合が解除される構成となっている。この構成によれば、外函１の横置き及び縦置きの如何に拘らずロック解除がなされるから、横置き又は縦置きの双方での使用を前提とした情報機器に採用することができる。
【００５４】
図５に示す実施の形態においては、第１のロックレバー５を支持ピン13の回りに、また第２のロックレバー６を支持ピン15の回りに夫々揺動させるモータ９，９が備えられ、また底板10の一部に設けたロック解除ボタン７は、底板10の内側のスイッチボックス72内に延設されており、ロック解除ボタン７の押し込みによりスイッチボックス72内の検出スイッチがオンされ、このオン動作に応じたモータ９，９の駆動により第１，第２のロックレバー５，６が揺動して、係合突起４，４との係合が解除される構成となっている。他の部分の構成は、図１に示す実施の形態と同様であり、対応する構成部材に図１と同一の参照符号を付して説明を省略する。
【００５５】
なおこの実施の形態において、第１，第２のロックレバー５，６は、ロック解除ボタン７，８との機械的な当接のための横辺を備えておらず、また、第１，第２のロックレバー５，６を係合ピン４，４への係合のために付勢する押しばね51及び引きばね62の図示を省略してある。他の部分の構成は、図１に示す実施の形態と同様であり、対応する構成部材に図１と同一の参照符号を付して説明を省略する。
【００５６】
この構成においては、第１，第２のロックレバー５，６を揺動させるための駆動手段としてのモータ９，９が用いられており、装置構成が複雑するという問題がある反面、ロック解除ボタン７の数及び配設位置を、第１，第２のロックレバー５，６による制約から外れて適宜に設定することができ、設計上の制約が緩和されるという利点がある。
【図面の簡単な説明】
【００５７】
【図１】本発明に係る情報機器の要部の構成を示す斜視図である。
【図２】第１のロックレバー及びロック解除手段の動作説明図である。
【図３】第２のロックレバー及びロック解除手段の動作説明図である。
【図４】本発明に係る情報機器の他の実施の形態を示す要部の斜視図である。
【図５】本発明に係る情報機器の他の実施の形態を示す要部の斜視図である。
【符号の説明】
【００５８】
１    外函
２    メカユニット
３    制振部材
４    係合突起
５    第１のロックレバー
６    第２のロックレバー
７，7a    ロック解除ボタン
８，8a    ロック解除ボタン
９    モータ（アクチュエータ）
51    押しばね（付勢ばね）
62    引きばね（付勢ばね）
72    スイッチボックス
【図１】
2006024328.tif 000003
【図２】
2006024328.tif 000004
【図３】
2006024328.tif 000005
【図４】
2006024328.tif 000006
【図５】
2006024328.tif 000007